(57)【要約】【課題】製造コストを低減するとともに、作業性を向上させる。【解決手段】アンテナ１の回動軸２は支持片３に軸線周りに回動自在に支持され、回動軸２に一体に形成された舌片７には一つの第１の係入孔８が設けられている。アッパーケース１４の側部には、支持孔２３が設けられ、この支持孔２３の周りに突設した凸条体２５には、複数の第２の係入孔２６が凹設されている。アンテナ１の支持片３が支持孔２３からアッパーケース１４内に挿入され固定されることにより、回動軸２が支持孔２３に回動自在に支持される。複数の第２の係入孔２６は第１の係入孔８の回動軌跡上に位置付けられている。スプリングピン１０を、第１の係入孔８と第２の係入孔２６の一つに係入することにより、アンテナ１が回動を規制されて所定の回動角度に調整される。【選択図】        図４
2004254216.tif 000002
【特許請求の範囲】
【請求項１】
筺体に設けた支持孔に回動自在に支持されるアンテナの回動角度を選択して調整するアンテナの角度調整構造であって、前記アンテナの回動周りに１つの第１の係入孔を設け、前記支持孔の周縁に前記第１の係入孔の回動軌跡上に位置付けられた複数の第２の係入孔を設け、これら第１の係入孔と第２の係入孔に係入されるピンを備えたことを特徴とするアンテナの角度調整構造。
【請求項２】
請求項１記載のアンテナの角度調整構造において、
前記ピンをスプリングピンとしたことを特徴とするアンテナの角度調整構造。
【発明の詳細な説明】
【０００１】
【発明の属する技術分野】
本発明は、例えば据置設置用の無線装置等におけるアンテナの角度調整構造に関し、特に、一旦アンテナの指向方向を調整した後は半永久的にその指向方向を変えることがないアンテナの角度調整構造に関する。
【０００２】
【従来の技術】
例えば、ガス使用量無人監視システムにおいては、ガスの使用量を各戸毎に検知し、この検知したガスの使用量を無線によって個々に無線送受信用親機に送信する多数の無線送受信用子機が備えられている。これら無線送受信用親機および子機には、装置筐体に回動自在に支持されたアンテナが備えられ、アンテナの感度を向上させるためにアンテナを互いの方向を指向するように回動調整され、据え置かれたこれら無線送受信用子機から無線送受信用親機にデータを確実に送信するようにしている。
【０００３】
この種の装置においては、一旦調整されたアンテナが第三者によって故意または誤って指向方向が変えられると、無人監視システムであるために、アンテナの指向方向が変えられたままの状態になり、アンテナの感度が低下するという問題があった。したがって、一旦アンテナの指向方向を調整した後は、第三者によって簡単にその指向方向を変えることができない構造が要求されている。この要求に応えるものとして、アンテナの回動軸の周りにゴム等の弾性部材を巻回し、弾性部材との摩擦によってアンテナを回動しづらくしたものが提案された。
【０００４】
しかしながら、アンテナに大きな力が加わると回動を規制することができず、また長期間にわたって屋外で設置されると弾性部材が劣化してしまい効果が失われるといった問題もあった。そこで、アンテナの回動軸の周りに円周方向に等角度おいて係合凹部を設け、この係合凹部に係合する係合凸部を円周方向に等角度おいて形成した回り止め部材を備え、この回り止め部材の係合凸部を係合凹部に係合させることにより、アンテナの回動を規制しアンテナの指向方向を設定する構造のものがある。（例えば、特許文献１参照。）。
【０００５】
なお、本出願人は、本明細書に記載した先行技術文献情報で特定される先行技術文献以外には、本発明に密接に関連する先行技術文献を出願時までに発見するには至らなかった。
【０００６】
【特許文献１】
特願２００１−２８１２５０号明細書および図面（段落「００１２」
ないし「００１６」、図３）
【０００７】
【発明が解決しようとする課題】
上述した従来のアンテナの角度調整構造においては、回り止め部材によってアンテナの指向方向を調整する際に、カバーを装置筺体から取り外す必要があるため、作業性が悪く作業時間も長くなるという問題があった。また、アンテナの回動を規制するためだけに要する回り止め部材を新たに製作しなければならないために製造コストが上昇していた。
【０００８】
本発明は上記した従来の問題に鑑みなされたものであり、第１の目的は製造コストを低減することにある。また、第２の目的は作業性を向上させることにある。
【０００９】
【課題を解決するための手段】
この目的を達成するために、請求項１に係る発明は、筺体に設けた支持孔に回動自在に支持されるアンテナの回動角度を選択して調整するアンテナの角度調整構造であって、前記アンテナの回動周りに１つの第１の係入孔を設け、前記支持孔の周縁に前記第１の係入孔の回動軌跡上に位置付けられた複数の第２の係入孔を設け、これら第１の係入孔と第２の係入孔に係入されるピンを備えたものである。
したがって、アンテナをその性能が最もよくなる角度まで回動し、第１の係入孔に係入させたピンを複数の第２の係入孔の一つに係入させることにより、アンテナが所望の回動角度に固定される。
【００１０】
また、請求項２に係る発明は、請求項１に係る発明において、前記ピンをスプリングピンとしたものである。
したがって、スプリングピンを弾性変形させながら係入するから、第１および第２の係入孔への挿入は容易に行えるが、簡単に抜け落ちるようなことはない。
【００１１】
【発明の実施の形態】
以下、本発明の実施の形態を図に基づいて説明する。図１は本発明に係るアンテナの角度調整構造を実施した装置の一部を破断して示す平面図、図２は同じく家屋の壁等に掛けられた状態を示す側面図であって、同図（ａ）は角度調整前の状態を示し、同図（ｂ）は角度調整後の状態を示し、図３は同じく要部を背面から視た断面図、図４は要部を分解して示す斜視図である。
【００１２】
図１に符号１で示すアンテナの基部には、図４に示すように、このアンテナ１の延在方向と直交するように回動軸２が設けられており、この回動軸２の一端からは扁平状に形成された支持片３が突出し、回動軸２はこの支持片３に軸線周りを回動自在となるように支持されている。支持片３には２つの挿通孔４，５が穿孔されている。
【００１３】
回動軸２にはフランジ６が一体に突設されており、このフランジ６の外周面の一部には、側面視逆Ｌ状に形成された舌片７が突設され、この舌片７の垂直部には１つの第１の係入孔８が穿孔されている。１０はスプリングピンであって、第１の係入孔８に弾性変形しながら係入されるサイズのものが選ばれる。
【００１４】
図２に全体を符号１１で示す無線送受信用子機は、扁平に形成され囲い壁１３が立設されたベース板１２と、このベース板１２の囲い壁１３が形成されていない部位を覆うアッパーケース１４と、囲い壁１３を覆うカバー１５とによって装置の筺体が形成されている。
【００１５】
ベース板１２の一端側には、この無線送受信用子機１１を壁等に掛けて使用するときに必要なフック部材１７が一体に突設されており、ベース板１２の底部には、この無線送受信用子機１１を家屋等の壁１９に掛けて使用するときに、壁１９に係止されるゴム足１８が取り付けられている。
【００１６】
上記したアッパーケース１４は断面コ字状の略箱形に形成されており、天井部の内側には、図３に示すように、円筒状に形成された２本のスタッド２１，２２が図中下方に向かって一体に突設されている。また、このアッパーケース１４の一方の側部には、図３および図４に示すように支持孔２３が穿孔されており、この支持孔２３の内径は上記したアンテナ１の回動軸２を回動自在に軸支する大きさに形成されている。
【００１７】
この支持孔２３の周りには、円環状に形成された軸受部２４が一体に外側に向かって突設されており、この軸受部２４の内径は、上記した回動軸２のフランジ６の外径よりも僅かに大きく形成されている。この軸受部２４の周縁であってアッパーケース１４にベース板１２を取り付ける側、すなわち図４中軸受部２４の下側には、側面視円弧状に形成された凸条体２５が一体に突設されており、この凸条体２５には、円周方向に等角度（１５°）の間隔をおいて非貫通孔からなる複数の第２の係入孔２６が凹設されている。この第２の係入孔２６の径は上記した第１の係入孔８の径と同一に形成されている。また、この複数の第２の係入孔２６は、後述するように、回動軸２が支持孔２３に回動自在に支持された状態で、第１の係入孔８の回動軌跡上に位置するように設けられている。
【００１８】
このような構成において、アンテナ１の回動軸２にパッキン２７を嵌挿し、支持片３をアッパーケース１４の支持孔２３からアッパーケース１４内に挿入し、支持片３の挿通孔４に挿通させたねじ２８を、スタッド２１の中空部にねじ込むことにより、支持片３がスタッド２１に固定される。支持片３がスタッド２１に固定されると、回動軸２が支持孔２３に回動自在に支持されるとともに、フランジ６が軸受部２４に回動自在に支持される。
【００１９】
このとき、回動軸２の第１の係入孔８と凸条体２５の複数の第２の係入孔２６のうちの一つとが、図３に示すように対向すると、これら第１の係入孔８と第２の係入孔２６との軸線方向の長さを合計した全長Ｌ２は、上記したスプリングピン１０の全長Ｌ１よりも小さく形成されている。３０は制御基板であって、支持片３の挿通孔５に挿通するねじ２９によって、スタッド２２に支持片３と共締めされ、支持片３と制御基板３０の端子部（図示せず）との間が電気的に接続される。
【００２０】
このような構成において、アンテナ１の指向方向を回動調整するには、アンテナ１を把持し、図２（ｂ）に示すように、回動軸２を軸線周りに回動させ、測定器類を使用してアンテナ１の指向方向を決める。次いで、スプリングピン１０を、ラジオペンチ等の先細工具等によって弾性変形させながら、図３に示すように、回動軸２の第１の係入孔８とアッパーケース１４の第２の係入孔２６とに係入することにより、アンテナ１の回動が規制されて指向方向が固定される。
【００２１】
この調整作業は、アッパーケース１４やカバー１５をベース板１２から取り外すことなく、無線送受信用子機１１を壁９に取り付けたままの状態で、無線送受信用子機１１の外側で行うことができるため、作業性が向上するばかりではなく短時間で行える。また、第１の係入孔８はアンテナ１に一体的に設けることができ、第２の係入孔２６もアッパーケース１４に一体に形成することができるため、既存のスプリングピン１０を追加するだけでよいから、新たに部品を製作する必要がないので製造コストの低減も図ることができる。
【００２２】
また、上述したように、スプリングピン１０の全長Ｌ１が、第１の係入孔８と第２の係入孔２６との軸線方向の長さを合計した全長Ｌ２よりも大きく形成されているために、図３に二点鎖線で示すように、スプリングピン１０の後端部が第１の係入孔８から露呈している。したがって、このスプリングピン１０を第１の係入孔８から容易に抜き取ることが可能なため、調整が容易かつ短時間で行える。また、スプリングピン１０の弾性変形を利用して行うことができるため、スプリングピン１０の取付け、取り外しが容易になるというばかりではなく、長期間にわたって塑性変形が相対的に少ないため耐久性にも優れている。
【００２３】
このようにアンテナ１の指向方向を調整された無線送受信用子機１１を、図２（ｂ）に示すように、壁１９に掛けて固定すると、上述したように、凸条体２５が軸受部２４の周縁であってアッパーケース１４にベース板１２を取り付ける側に設けられているため、スプリングピン１０が壁１９とアンテナ１の回動軸２との狭い空間に位置付けられる。したがって、アンテナ１の係止がスプリングピン１０であるため簡単に脱落するようなことがなく、また、第三者が故意にスプリングピン１０を抜き取ることが困難になるためいたずらを防止できる。
【００２４】
なお、本実施の形態においては、第２の係入孔２６を非貫通孔としたが、貫通孔としてもよい。
【００２５】
【発明の効果】
以上説明したように、請求項１に係る発明によれば、製造コストを低減することができるとともに、作業性を向上させることができる。
【００２６】
また、請求項２に係る発明によれば、ピンの取付け、取り外しが容易になるとうばかりではなく耐久性にも優れている。
【図面の簡単な説明】
【図１】本発明に係るアンテナの角度調整構造を実施した装置の一部を破断して示す平面図である。
【図２】本発明に係るアンテナの角度調整構造を実施した装置を家屋の壁等に掛けられた状態を示す側面図であって、同図（ａ）は角度調整前の状態を示し、同図（ｂ）は角度調整後の状態を示す。
【図３】本発明に係るアンテナの角度調整構造の要部を背面から視た断面図である。
【図４】本発明に係るアンテナの角度調整構造の要部を分解して示す斜視図である。
【符号の説明】
１…アンテナ、２…回動軸、３…支持片、８…第１の係入孔、１０…スプリングピン、１１…無線送受信用子機、２３…支持孔、２６…第２の係入孔。
【図１】
2004254216.tif 000003
【図２】
2004254216.tif 000004
【図３】
2004254216.tif 000005
【図４】
2004254216.tif 000006